(57)【特許請求の範囲】
【請求項１】
引出し式の扉と連動して出し入れ可能な容器カバーと、この容器カバー内部に収容され、上部が開口した箱形に形成される貯蔵容器とを有し、
前記容器カバーは、前記貯蔵容器の底面の大きさよりも小さな底部開口部を底部に設け、この底部開口部の開口周縁部を前記貯蔵容器の底面に当接させると共に、容器カバーの側部と貯蔵容器の側部との間を離間させて貯蔵容器を容器カバーに収容し、容器カバーの側部と貯蔵容器の側部との間に空気層を形成させたことを特徴とする冷凍冷蔵庫。
【請求項２】
前記貯蔵容器の底部にアルミプレートを配設したことを特徴とする請求項１記載の冷凍冷蔵庫。
【請求項３】
前記空気層に冷気を供給する冷気供給部を設けていることを特徴とする請求項１または２記載の冷凍冷蔵庫。
【請求項４】
前記貯蔵容器は、貯蔵容器の左右両側部の上部にそれぞれ通気孔を有し、前記容器カバーは、当該複数の通気孔に連通するように、容器カバーの左右両側部にそれぞれ通気孔または切り欠きを有することを特徴とする請求項１乃至３のいずれか一項に記載の冷凍冷蔵庫。
【請求項５】
前記容器カバーの底部開口部は、その開口周縁部に上方に突起した突起部を有し、前記貯蔵容器は、前記突起部により容器カバーの内側面と貯蔵容器の外側面との間を離間させて貯蔵容器底面を下方から当接して支持されることを特徴とする請求項１乃至４のいずれか一項に記載の冷凍冷蔵庫。
【請求項６】
前記突起部は、前記アルミプレートの外側で当接支持していることを特徴とする請求項２、請求項２を引用する請求項３、請求項２を引用する請求項４、及び請求項２を引用する請求項５のいずれか一項に記載の冷凍冷蔵庫。
【発明の詳細な説明】
【技術分野】
【０００１】
本発明の実施形態は、引き出し可能な貯蔵容器を備えた冷凍冷蔵庫に関する。
【背景技術】
【０００２】
従来の冷凍冷蔵庫にあっては、冷凍効果を高めるために、被冷凍貯蔵物を入れる貯蔵容器の前面、後面、側面および底面を二重構造とした貯蔵容器の構成が知られている。
【先行技術文献】
【特許文献】
【０００３】
【特許文献１】特開２００７―２７１２４２号公報
【発明の概要】
【発明が解決しようとする課題】
【０００４】
このような従来の貯蔵容器の前面、後面、側面および底面を二重構造とした構成のものは、二重構造とした分、貯蔵容器の重量が重くなり、そのため貯蔵容器に連結された扉を操作して被冷凍貯蔵物の入った貯蔵容器を引き出し、あるいは押し込む際により負荷が掛かることになる。また、貯蔵容器の清掃に際しては、通常、当該貯蔵容器を冷蔵庫の外部に取り出しておこなうが、このような二重構造の貯蔵容器を冷蔵庫の外部に取り出すときには、貯蔵容器の重量と共に外形の大きさが負担となり、扱いづらいものとなっていた。
【０００５】
さらに、このような二重構造の貯蔵容器に温かい食品を収納したときには、二重構造の内側容器と外側容器との間の空気層内に氷結が発生したり、容器壁に霜が付着する可能性が指摘されることもある。
【０００６】
本発明の実施形態は、上記に鑑みてなされたもので、その目的とするところは、貯蔵容器の出し入れを容易にするために軽量化を行うとともに、氷結および霜の付着を低減した冷凍冷蔵庫を提供することにある。
【課題を解決するための手段】
【０００７】
上記課題を達成するため、実施形態によれば、被冷凍貯蔵物を冷凍貯蔵する貯蔵容器を収容する容器カバーの底部に底部開口部を形成し、この底部開口部の縁部に貯蔵容器の底面を当接させて塞ぎ、容器カバーの側部と貯蔵容器の側部との間に空気を対流させる空気層を形成する。
【０００８】
容器カバーの底部開口部は、その開口周縁部に上方に突起した突起部を有し、前記貯蔵容器は、前記突起部により容器カバーの内側面と貯蔵容器の外側面との間を離間させて容器底面を下方から当接して支持される。また貯蔵容器は、前記突起部に当接する部分の外側底面が上方に立ち上がり、容器カバーの内側面と貯蔵容器の外側面との間をさらに離間して空気層を拡大する。
【図面の簡単な説明】
【０００９】
【図１】一実施形態に係わる冷凍冷蔵庫の側方から見た縦断面図である。
【図２】図１に示す冷凍冷蔵庫の冷凍室の扉を前方に引いて、冷凍室を引き出した状態を示す斜視図である。
【図３】図２に示す冷凍室の分解斜視図である。
【図４】図２および図３に示す冷凍室の容器カバー内に貯蔵容器を入れた状態を示すＡ−Ａ断面図である。
【図５】図２および図３に示す冷凍室の容器カバー内に貯蔵容器を入れた状態を示すＢ−Ｂ断面図である。
【発明を実施するための形態】
【００１０】
以下、図面を用いて、本発明を実施するための形態(以下、実施形態と称する)を説明する。
【００１１】
図１は、一実施形態に係わる冷凍冷蔵庫の側方から見た縦断面図である。同図に示す冷凍冷蔵庫１は、その最下部に冷凍室３が設けられ、この冷凍室３の直上には製氷室５、その直上に野菜室７、その直上の最上部に冷蔵室９が設けられている。なお、製氷室５は、横幅が冷凍冷蔵庫１の横幅の例えば半分程度に小さいものであり、図１では縦断面をとった位置の関係で図示されていないが、この製氷室５の真横には切替室が並んで設けられているものである。
【００１２】
このように冷凍室３、製氷室５、野菜室７、冷蔵室９を有する冷凍冷蔵庫１は、図１において左側にあたる前面に各室の扉３ａ、５ａ、７ａ、９ａが取り付けられ、この扉を含む冷凍冷蔵庫全体が断熱材で断熱処理され、全体として縦長の箱形に形成されている。
【００１３】
冷凍室３は、被冷凍貯蔵物を収容して冷凍するための深めの貯蔵容器１１を有し、この貯蔵容器１１は、該貯蔵容器１１の外形形状より一回り大きな形状の容器カバー１５内に収容されている。これにより容器カバー１５と貯蔵容器１１との間には所定の間隙が設けられる。また、貯蔵容器１１の底の載置部１１ｄ（図４参照）にはアルミプレート１９が載置されている。
【００１４】
また、冷凍室３の背面には冷却器５１およびファン３１が設けられ、この冷却器５１とファン３１により冷凍室３を冷却するようになっている。
【００１５】
図２は、冷凍室３の扉３ａを前方に引いて、冷凍室３を外部に引き出した状態を示している斜視図である。なお、図２では、冷凍室３の直上の製氷室５の横に並んで扉６ａを有する切替室６が設けられていることが分かる。
【００１６】
図２において、貯蔵容器１１は、容器カバー１５の中に収容され、この容器カバー１５の左右両側部の上端の外側にはそれぞれレール１７（いわゆるスライドレール）が取り付けられ、この２本のレール１７の一端は冷凍室３の扉３ａの裏側に固定され、扉３ａを前方に引くと、容器カバー１５がレール１７および貯蔵容器１１とともに引き出されるようになっている。また、貯蔵容器１１の底の底の載置部１１ｄには、周縁部分に立ち上がり部を有する、いわゆる皿状のアルミプレート１９が載置されている。
【００１７】
図３は、図２に示す冷凍室３の分解斜視図である。図３に示すように、冷凍室３の扉３ａの裏側の左右両端の上部寄りの部分には、前記２本のレール１７の一端がＬ型金具８１とボルト８３などにより強固に取り付けられ、この２本のレール１７に容器カバー１５が取り付けられることで扉３ａと連動して容器カバー１５が引き出される構成となっている。
【００１８】
容器カバー１５の後方位置に上方に立ち上がる引掛け部１５ｅが形成されると共に、前端にも上方に延びる立ち上がり部１５ｆが形成され、この立ち上がり部１５ｆには係合孔１５ｇが形成される。容器カバー１５は、冷凍室３の扉３ａの裏側に固定さるレール１７の上部に引掛け部１５ｅを引っ掛けると共に、扉の裏面に設けられたＬ字引掛け部２３に係合孔１５ｇを係合することで容器カバー１５が着脱可能に位置決めされる。
【００１９】
なお、この２本のレール１７は、冷凍室３の冷凍冷蔵庫本体の両側側壁面に取り付けられている図示しない別のレールにローラもしくはベアリングを介してスライド可能に嵌合される、いわゆるダブルレール構造であり、この別のレール上をスライドして、図２に示すように、容器カバー１５と共に冷凍室３が前方に大きく引き出されるようになっている。
【００２０】
容器カバー１５は、図３に示すように、貯蔵容器１１を収容した場合に貯蔵容器１１の底面が当たる底部に大きく開口する底部開口部１５ａが形成されている。この底部開口部１５ａは、貯蔵容器１１の底面の平面部の大きさよりも小さく、貯蔵容器１１を容器カバー１５の中に収容した場合には、貯蔵容器１１の底面が底部開口部１５ａの縁部に当たって、底部開口部１５ａを隙間なく塞ぐようになっている。この状態を図４で説明する。
【００２１】
図４は、貯蔵容器１１を容器カバー１５内に収容して、貯蔵容器１１の底面が容器カバー１５の底部開口部１５ａの縁部に当たって底部開口部１５ａを塞いでいる状態を示す、扉３ａの前面側から見たＡ−Ａ断面図（図３参照）であり、貯蔵容器１１と容器カバー１５の両側部の断面状態を示している。
【００２２】
図４に示すように、容器カバー１５内に収容された貯蔵容器１１の底面は、その縁部において容器カバー１５の底部開口部１５ａの周縁部に当接している。更に詳しくは、この容器カバー１５の底部開口部１５ａの周縁部は、その端部において上方に折り曲げられたように立ち上がりリブ状態の短い突起部１５ｂが形成される。この突起部１５ｂが貯蔵容器１１の底面に当接して貯蔵容器１１を支持するとともに、後述するように、この当接近傍の容器カバー１５と貯蔵容器１１との間の間隙を拡大し、その間の空気層を拡大するようにしている。
【００２３】
また、貯蔵容器１１においては、この容器カバー１５の突起部１５ｂが当接する部分の外側部分の底面が上方に立ち上がり、この立ち上がり部分に下側湾曲部１１ａが形成され、この下側湾曲部１１ａが貯蔵容器１１の強度を高めると共に容器カバー１５の突起部１５ｂに当接して、強固に支持することを可能にしている。さらに、この下側湾曲部１１ａを設けることにより、貯蔵容器１１の底の角部を上方に押し上げることになり、この角部の貯蔵容器１１と容器カバー１５との間に間隙における空気層をさらに拡大するようにしている。
【００２４】
また図４に示すように、貯蔵容器１１の左右両側部の上端は外方に支持部２７が形成されており、容器カバー１５の引掛け部１５ｅを覆うようにレール１７に引っ掛けられて容器カバー１５内に収容されており、この支持部２７により、容器カバー１５の左右側面と貯蔵容器１１の左右側面が離間するように位置決めされて貯蔵容器１１と容器カバー１５との間に間隙が設けられ、さらにこの隙間内に冷気が供給される冷気供給部２１ａが設けられる（図５参照）。
【００２５】
このようにして容器カバー１５の左右両側部と貯蔵容器１１の左右両側部との間に空気を対流させる空気層２１が形成され、この空気層２１により貯蔵容器１１の断熱効率および冷凍効率を増大し、省エネ効果を達成している。
【００２６】
すなわち、この空気層２１は上方から冷気が侵入し、冷気を対流させることによって、空気層２１内の霜及び氷結の発生を防止し空気層２１内で着霜しても昇華を促進するように作用するものであり、特に扉３ａを引いて貯蔵容器１１を外に引き出したときに空気層２１内に外気が進入した場合であっても積極的に冷気を空気層２１内に送り込むように空気層２１の上方を開口し、図１に示すように冷気の吹き出し口３１ａを貯蔵容器１１の上方に配置してあるから湿った空気が空気層２１に入り込んでも効果的に霜の発生を抑制できる。
【００２７】
またこの空気層２１の下方は貯蔵容器１１と容器カバー１５を当接させることで、ある程度の密閉を確保しているから、貯蔵容器１１が引き出されて冷蔵庫外に露出されたときであっても、外気が貯蔵容器１１と容器カバー１５との間の隙間を通過して流れることを抑制することで、空気層２１内部の冷気が逃げないようにすることができると共に空気層２１の断熱効果により容器が暖まることを防止することができる。
【００２８】
なお、上述したように、容器カバー１５の底部開口部１５ａの縁部に突起部１５ｂを形成するとともに、貯蔵容器１１の底の角部の下側湾曲部１１ａを形成することにより、この角部における容器カバー１５と貯蔵容器１１との間の空気層２１をより一層、拡大している。
【００２９】
上述した図４を参照した説明では、容器カバー１５の左右両側部の上端部の内側は、容器カバー１５の左右両側部と貯蔵容器１１の左右両側部との間に空気を対流させる空気層２１が形成されていると説明したが、このような空気層２１は、容器カバー１５および貯蔵容器１１の左右両側部に限られず、図示されていないが、容器カバー１５および貯蔵容器１１の前側部および後側部にも形成され、冷凍室３全体として断熱効率および冷凍効率を向上している。
【００３０】
すなわち、容器カバー１５の前側部および後側部のそれぞれの上端部の内側は、貯蔵容器１１の前側部および後側部のそれぞれの上端部の外側に当接し、この容器カバー１５の前側部および後側部と貯蔵容器１１の前側部および後側部のそれぞれの間に空気を対流させる空気層２１が形成されているものである。このように容器カバー１５の各側部と貯蔵容器１１の各側部との間に空気層２１を形成し、冷凍室３の側面全体を二重構造に構成することにより、断熱効率および冷凍効率を向上するとともに、冷凍室３の扉３ａを開閉した時の冷凍室３内の温度上昇を抑制している。
【００３１】
なお、容器カバー１５の底部をくり抜いたように、底部開口部１５ａを形成し、この底部開口部１５ａを塞ぐように容器カバー１５内に貯蔵容器１１を収容しているが、この底部においては、貯蔵容器１１の底に下方に凹状に載置部１１ｄを設けアルミプレート１９を着脱自在に載置したので、熱伝導率に優れたアルミニウム製のアルミプレート１９により被冷凍貯蔵物の冷凍効果を促進し、また容器カバー１５に底部開口部１５ａを形成することにより、容器カバー１５、ひいては冷凍室３の軽量化を達成し、扉３ａの開閉を容易にしている。
【００３２】
特に突起部１５ｂを載置部１１ｄ端部に位置させて当接支持させたからアルミプレート１９の外側のみ容器カバー１５に覆われるようになり、アルミプレート１９全域に貯蔵容器１１を介して冷気を下方から当てて冷却することが出来、冷凍促進が効果的に図られる。
【００３３】
また、図３に示すように、扉側の内側のほぼ中央の上部寄りの部分には、横長の断面がＬ字形の引っ掛け部２３が形成されているが、この引っ掛け部２３は、図３において貯蔵容器１１の扉側に配設される前部のほぼ中央の上部寄りの部分に形成された矩形の開口部２５に嵌合するようになっている。そして、貯蔵容器１１を容器カバー１５内に入れた場合、貯蔵容器１１の開口部２５が容器カバー１５の係合孔１５ｇから突出した引っ掛け部２３に引っ掛かり、これにより貯蔵容器１１は、前部においては引っ掛け部２３で支持される。
【００３４】
なお、貯蔵容器１１の左右両側部の上端部は、図４から分かるように、容器カバー１５の左右両側部の上端部を上から覆うように外側に屈曲してから下方に少し折れ曲がって、容器カバー１５の上端部に上方から掛けられて支持する支持部２７が形成されている。また、この支持部２７の内側には適宜、図示しないリブが支持部２７内側形状に沿って設けられ、支持部２７の強度を高めると共に容器カバー１５との嵌め合い、すなわち嵌合状態を座りの良いものとしている。
【００３５】
従って、貯蔵容器１１は、この左右両側部の上端の支持部２７が容器カバー１５の左右両側部の上端部に掛けられるとともに、上述した開口部２５が容器カバー１５の引っ掛け部２３に引っ掛けられるという３箇所で容器カバー１５に支持されている。
【００３６】
次ぎに図３を参照するに、貯蔵容器１１の左右両側部の上部の前面寄りの部分には、複数のスリット状の通気孔１１ｂが形成されるとともに、この通気孔１１ｂに対応する容器カバー１５の左右両側部の上部の前面寄りの部分には、引掛け部１５ｅと立ち上がり部１５ｆとの間の側壁部を切り欠いた通気孔１５ｄが形成されている。これら通気孔１１ｂと通気孔１５ｄは、切り欠きであっても、スリット状であっても、パンチング状の孔（丸孔、長孔）であっても構わない。
【００３７】
図５は、貯蔵容器１１を容器カバー１５内に収容して、貯蔵容器１１の底面が容器カバー１５の底部開口部１５ａの縁部に当たって底部開口部１５ａを塞いでいる状態を示す、扉３ａの前面側から見たＢ−Ｂ断面図（図３参照）であり、容器カバー１５の通気孔１５ｄと貯蔵容器１１の通気孔１１ｂを含むようにした両側部の断面状態を示している。
【００３８】
そして、図５に示すように、容器カバー１５内に貯蔵容器１１を収容した場合には、容器カバー１５の通気孔１５ｄと貯蔵容器１１の通気孔１１ｂが同じ位置で連通し、この連通した両通気孔１５ｄ、１１ｂを通って冷気が流れ、上述した容器カバー１５と貯蔵容器１１の間に形成された空気層２１内における氷結の発生や霜の付着を防止している。
【００３９】
更に、図３に示すように、容器カバー１５の後壁には、切り欠き１５ｃが台形状に大きく形成されるとともに、また貯蔵容器１１の後壁の上端部の左右両側にも細長く、切り欠き１１ｃが左右２箇所形成されているが、これらの切り欠き１５ｃ、１１ｃを通って冷凍室３の背面から貯蔵容器１１の内部に冷気が流入して、貯蔵容器１１内の被冷凍貯蔵物を冷却するようになっている。
【００４０】
すなわち、冷却器５１で冷却された冷気は、ファン３１で送り出され、冷凍室３の後方上部から切り欠き１５ｃ、１１ｃを通って貯蔵容器１１内に吹き出され、貯蔵容器１１内を下降しながら被冷凍貯蔵物を冷却してから、上述した通気孔１１ｂ、１５ｄから流出し、容器カバー１５の両側部の外側を通って、冷凍室３の背面に流出するという冷気の流れによって貯蔵容器１１内全体を均一に冷却している。
【００４１】
なお、上記実施形態では、冷凍冷蔵庫として製氷室５、野菜室７、冷蔵室９などを備えているものについて説明したが、これに限定されるものでなく、冷凍室３のみを有している冷凍庫にも適用し得るものである。
【００４２】
また特に引っ掛け部２３は無くともよく、容器カバー１５の係合孔１５ｇと貯蔵容器１１の開口部２５は使用者が、それぞれ容器カバー１５や貯蔵容器１１を取り出す際の取っ手ともなりうるものである。
【符号の説明】
【００４３】
１  冷凍冷蔵庫
３  冷凍室
３ａ  扉
１１  貯蔵容器
１１ａ  下側湾曲部
１１ｂ  通気孔
１１ｃ  切り欠き
１５  容器カバー
１５ａ  底部開口部
１５ｂ  突起部
１５ｃ  切り欠き
１５ｄ  通気孔
１５ｅ  引掛け部
１５ｆ  立ち上がり部
１５ｇ  係合孔
１９  アルミプレート
２１  空気層
２５  開口部
２７  支持部
３１  ファン
３１ａ  吹き出し口
５１  冷却器
【図１】
0005761936.tif 000002
【図２】
0005761936.tif 000003
【図３】
0005761936.tif 000004
【図４】
0005761936.tif 000005
【図５】
0005761936.tif 000006